(57)【特許請求の範囲】
【請求項１】
筒状の胴部を有し、一方の端に開口部を有する容器本体と、
前記開口部に嵌合しており、側面に前記容器本体の内部の化粧料が通過する流入穴を有する、凹状のカップ部材と、
前記カップ部材に挿入することができる化粧料を誘導する誘導路を含む中間部材と、
前記中間部材を前記カップ部材から離れる方向に付勢するバネと、
前記中間部材の中に配置され、前記中間部材の先端から突き出ている一つ又は複数のローラーボールと、
前記容器本体と螺合するキャップとを含む、唇に化粧料を塗布するための化粧料容器であって、
前記キャップをしめると、前記バネに対向して前記中間部材が前記容器本体方向に押し込まれ、前記誘導路の下端を前記カップ部材によって塞ぎ、前記容器本体を密閉する、化粧料容器。
【請求項２】
前記カップ部材の内側底部に底突起部を有し、前記キャップをしめると、前記底突起部が前記誘導路の内側に入り込み、容器本体の密閉度を高める、請求項１に記載の化粧料容器。
【請求項３】
前記カップ部材は、前記誘導路がぴったり入り込むことができる内径を有し、側面に流入穴を有する化粧料流入部と、前記化粧料流入部の内径よりも大きい内径を有する前記バネを保持するバネ保持部との二段で構成されており、これにより、前記中間部材の誘導路が軸方向に安定して摺動する、横請求項１又は２に記載の化粧料容器。
【請求項４】
前記容器本体がチューブ状である、請求項１から３のいずれか一項に記載の化粧料容器。
【請求項５】
前記化粧料の構成成分として、ヒマワリ種子油、ダマスクローズ花油、ローマカミツレ花油からなる群から選択される少なくとも一種を含む、請求項１から４のいずれか一項に記載の化粧料容器。
【発明の詳細な説明】
【技術分野】
【０００１】
本発明は、液体又はクリームを唇に塗布するために使用する唇用化粧料容器に関する。
【背景技術】
【０００２】
口紅、リップクリームといった唇用化粧料を塗るための化粧用器具としては、円柱状に成形した棒状唇用化粧料を押出容器に装填し、容器端部をねじり回すことにより、装填した棒状唇用化粧料を突き出た状態にすることができるスティックタイプのものが持ち運びに便利で、広く普及している（特許文献１等）。
また、スティックタイプに成形できない液体又は乳液状の化粧料の場合は、チューブ状の容器の先端に樹脂状の先端部を設け、当該先端部には、非常に小さい穴があり、その穴から徐々に化粧料が出される容器もある。
一方、リラックス効果やエイジングケアを目的に美顔マッサージが注目されている。
【先行技術文献】
【特許文献】
【０００３】
【特許文献１】特開平２００５−１８６９９２号公報
【発明の概要】
【発明が解決しようとする課題】
【０００４】
従来のスティックタイプの唇用化粧料の場合、棒状に加工できない化粧料には適切でない。また、唇塗布用のチューブ状容器であれば、液体又は乳液状の化粧料を塗布することはできても、マッサージ効果を奏することはできない。なお、唇は粘膜に近い構造であり、間違ったマッサージをしようとすると傷つけてしまう恐れがある。
【０００５】
しかしながら、唇に対してもマッサージすることで口唇欲求を満たし、リラックス効果が得られ、しかも、マッサージをしながら化粧料を塗布すると、唇がやわらくなり、化粧料が浸透するのが容易になる。
【０００６】
このような事情を鑑みて、本発明ではマッサージをしながら、唇用化粧料を塗布することができる、唇用化粧料容器を提供することを目的としている。
【課題を解決するための手段】
【０００７】
上記の課題に鑑み、本発明者は、鋭意研究の末、下記する本発明を完成した。
【０００８】
即ち本発明は、筒状の胴部を有し、一方の端に開口部を有する容器本体と、  前記開口部に嵌合しており、側面に前記容器本体の内部の化粧料が通過する流入穴を有する、凹状のカップ部材と、前記カップ部材に挿入することができる化粧料を誘導する筒状の誘導路を含む中間部材と、前記中間部材を前記カップ部材から離れる方向に付勢するバネと、前記中間部材の中に位置し、前記中間部材の先端から突き出ている一つ又は複数のローラーボールと、前記容器本体と螺合するキャップとを含む、唇に化粧料を塗布するための化粧料容器であって、前記キャップをしめると、前記バネに対向して前記中間部材が前記容器本体方向に押し込まれ前記誘導路の一端を前記カップ部材によって塞ぎ、前記容器本体を密閉する、化粧料容器に関する。
【発明の効果】
【０００９】
本発明の唇用化粧料容器を用いて化粧料を唇に塗布すると、ボール状のローラー、すなわち、ローラーボールが唇に接触しながら回転することにより、指を使わずに唇に対してマッサージを行うことができ、唇の血行を促進する。その結果、化粧料の有効成分が浸透しやすくなる。さらに、マッサージ効果により、唇本来の血色を引き出し、いわゆる、くすみを改善することができる。その上、唇及び口輪筋のマッサージにより、口角の上がったバランスのよい唇に整えることができる。
【図面の簡単な説明】
【００１０】
【図１】図１は、本発明の一態様の化粧料容器１の断面図であり、キャップを閉じた状態である。
【図２】図２は、本発明の一態様の化粧料容器１の断面図であり、キャップをしていない状態である。
【発明を実施するための形態】
【００１１】
本発明の唇又は唇近傍に化粧料を塗布するための化粧料容器１を、図面を参照しながら説明する。
【００１２】
最初に、本発明を構成する構成部材について説明する。
【００１３】
［中間部材］
まず、本発明の化粧料容器１の中間部材９について説明する。本発明の化粧料容器１の中間部材９は、ローラーボール１０、１０、１０を保持する機能と、容器本体２及びカップ部材６からの化粧料を先端部１１へ誘導する機能とを有する。具体的には、中間部材９は、化粧料を誘導する誘導路７と、ローラーボール１０、１０、１０を保持するローラーボール保持室１９を有し、ローラーボール１０、１０、１０はローラーボール保持室１９の先端から一部突出している。
【００１４】
誘導路７の形状は、容器本体２及びカップ部材６から流れてきた化粧料を先端方向、すなわち、ローラーボール保持室１９の方向へ誘導できるように、筒状である。
【００１５】
誘導路７は、筒状の誘導路７の外側に押圧突起部１５を設けることができる。押圧突起部１５は、誘導路７の軸に対して垂直方向に突起している。
【００１６】
ローラーボール保持室１９は、ローラーボール１０、１０、１０の回転を妨げずに、かつ、ローラーボール１０、１０、１０の位置が動かないように、ローラーボール１０、１０、１０を保持する空間である。具体的には、ローラーボール保持室１９は、その内側に、ローラーボール１０、１０、１０の直径よりも若干大きい内径を有し、高さがローラーボール１０、１０、１０の半径程度を有し、上方が開口されている円筒を３つ有している。この円筒の内部にローラーボール１０、１０、１０を配置する。また、ローラーボール保持室１９は、ローラーボール１０、１０、１０の個数と同じ数のローラーボール穴１８、１８、１８を有する。ローラーボール穴１８、１８、１８は、ローラーボール１０、１０、１０の一部を突出させるものである。ローラーボール穴１８、１８、１８の直径は、ローラーボール１０、１０、１０の直径よりもやや小さい。したがって、ローラーボール穴１８、１８、１８からローラーボール１０、１０、１０の一部が突出する状態であるが、ローラーボール１０、１０、１０がローラーボール穴１８、１８、１８を通り抜けて、落ちるようなことはない。ローラーボール１０、１０、１０は、ローラーボール保持室１９内でゆるく挟まれているため、ローラーボール１０、１０、１０の回転に支障がでることはない。なお、誘導路７は、ローラーボール保持室１９のすべての円筒に連通している。
【００１７】
ローラーボール保持室１９は、配置部８と先端部１１とを別々の構成部品とし、ローラーボール１０、１０、１０を挟みこむことで形成することもできる。すなわち、ローラーボール保持室１９は、配置部８と先端部１１とを含むことができる。
【００１８】
［配置部］
配置部８は、ローラーボール１０、１０、１０を配置する円筒を、ローラーの個数分有している。
【００１９】
［先端部］
先端部１１は、配置部８の上部カバーとしての役割を有している。先端部１１は、ローラーボール１０、１０、１０の個数と同じ数のローラーボール穴１８、１８、１８を有する。
【００２０】
［カップ部材］
次に、本発明の化粧料容器１のカップ部材６について説明する。カップ部材６は、前記容器本体２の開口部４に嵌合しており、側面に、前記容器本体２の内部の化粧料が通過する流入穴５を有している。カップ部材６の形状は、凹状である。
【００２１】
カップ部材６は容器本体２に嵌合されているが、より強くカッチっとはめていると外れにくいため、好ましい（スナップ・オン）。カップ部材６は、容器本体２の開口部４に取り付けられており、より具体的には、カップ部材６の上端が、容器本体２の開口部４の上端と嵌合するように設置する。すなわち、カップ部材６のほとんど部分は、容器本体２内にある。カップ部材６の底は、容器本体２側、カップ部材６の開口部は容器先端側に配置する。
【００２２】
図１のカップ部材６は、誘導路７がぴったり入り込むことができる内径を有し、側面に流入穴５、５を有する化粧料流入部１４と、前記化粧料流入部１４の内径よりも大きい内径を有する前記バネを保持するバネ保持部１３との二段で構成されている。誘導路７がぴったり入り込むことができる内径とは、誘導路７の外径と同じか、それよりもわずかに大きい程度の内径を意味する。
【００２３】
図１に示すように、バネ保持部１３の上端、すわなち、カップ部材６の上端には、カップ部材６の内側に向かって、周囲に中間部材保持突起部１６を設けることができる。
【００２４】
さらに、化粧料流入部１４は内側の底面に底突起部１２を有している。底突起部１２は、円柱状であり、円柱の上方向に向かって、該円柱の外径が徐々に小さくなっている。底突起部１２の上部の外径は、誘導路７の内径よりもわずかに小さいため、底突起部１２の上部が誘導路７内に入り込むことができる。また、化粧料流入部１４の側面の底部近傍には、流入穴５、５が２つ設けられている。流入穴５、５は、半円の形状で弧が化粧料容器１の先端側に向いて配置されている。
【００２５】
［バネ］
図１の態様では、らせん状のバネ１７は、カップ部材６のバネ保持部１３の内側に保持される大きさである。バネ１７は、バネ保持部１３に保持されている。バネ保持部１３の内径は、らせん状のバネ１７の直径（外径）よりもわずかに大きくし、バネ保持部１３の内部にらせん状バネ１７が保持できるようにする。また、化粧料流入部１４とバネ保持部１３との段差部分でバネ１７を支えている。バネ保持部１３に設置されたらせん状バネ１７の内側に、誘導路７が挿入されている。
【００２６】
［キャップ］
本発明の化粧料容器１のキャップ３は、容器本体２に螺合するキャップ３である。
【００２７】
［ローラーボール］
図１の態様では、ローラーボール１０、１０、１０を３個備えている。ローラーボール１０、１０、１０は球状であり、唇又は唇近傍に接触する部分である。ローラーボール１０、１０、１０の材質は特に限定されるものではないが、化粧料との間で化学反応が起きにくい物質が好ましく、価格を鑑みて、ステンレスが好ましくは選択される。なお、ローラーボール１０、１０、１０の個数は特に限定されるものではなく、一つでもよいし、複数のローラーボールを配置することができる。
【００２８】
［容器本体２］
図１の容器本体２は、化粧料を保持する部分であり、筒状の胴部を有し、一方の端に開口部４を有するものである。容器本体は、様々な粘度（硬度）を有する液体を保持することができ、例えば、硬度規格として、１０から６０ｇの硬度規格の液体を保持できる。なお、化粧料として、唇の保湿やエイジング対策に効果がある一方で、酸化されやすい成分又は揮発しやすい成分、例えば、ヒマワリ種子油等のオイル系成分、ダマスクローズ花油、ローマカミツレ花油等の精油を含む場合は、本発明の化粧料容器１が非常に有用である。
【００２９】
［作用］
［化粧料塗布及びマッサージ］
容器本体２内の化粧料は、カップ部材６の流入穴５、５から化粧料流入部１４に流れ込み、その後、誘導路７を通り、連通しているローラーボール保持室１９内に流れ込む。ローラーボール保持室１９にはローラーボール１０、１０、１０が備わっており、化粧料はローラーボール１０、１０、１０にからみつきながら、ローラーボール１０、１０、１０と、ローラーボール穴１８、１８、１８との間から少量ずつ排出される。なお、化粧料容器１を唇に軽く押し付けると、ローラーボール１０、１０、１０は、容器内部に向かってわずかに入り込む。その隙間から化粧料が排出されるのである。この方法であれば、多少粘性のある液体を何度も重ねて塗布することができ、唇への密着度を高め、浸透を促すことができる。また、この構造によって、化粧料を塗布しながら、心地よい刺激が得られ、マッサージ効果が得られる。
【００３０】
［密閉作用］
図２で示すように、キャップ３をしていない場合は、バネ１７は中間部材９の押圧突起部１５を押し上げ、その結果、誘導路７も押し上げられているため、カップ部材６の流入穴５、５及び中間部材９の誘導路７が開口されている状態になっている。したがって、化粧料は容器本体２内部から、流入穴５、５、化粧料流入部１４、誘導路７を通過し、ローラーボール保持室１９に流れ、ローラーボール１０、１０、１０にからまりながら、排出される。なお、バネ１７により中間部材９は付勢されているが、中間部材保持突起部１６の存在により、中間部材９が外れることはない。
【００３１】
一方、キャップ３をすると、バネ１７とともに中間部材９が容器本体２方向に押し込まれ、誘導路７の端がカップ部材６の底部又は底部付近に到達する。カップ部材６の底部には底突起部１２が備えられており、底突起部１２が誘導路７の端の内側に入り込み、誘導路７の流通を遮断する。また、誘導路７がカップ部材６の奥に入り込むので、流通穴５、５も誘導路７によって塞がれる。すなわち、キャップ３をすることで、容器本体２を高密閉度で保持することができる。
【００３２】
本発明の効果について説明する。
【００３３】
［１」  筒状の胴部を有し、一方の端に開口部４を有する容器本体２と、前記開口部４に嵌合しており、側面に前記容器本体２の内部の化粧料が通過する流入穴５、５を有する、凹状のカップ部材６と、前記カップ部材６に挿入することができる化粧料を誘導する誘導路７を含む中間部材９と、前記中間部材９を前記カップ部材６から離れる方向に付勢するバネ１７と、前記中間部材９の中に配置され、前記中間部材９の先端から突き出ている一つ又は複数のローラーボール１０、１０、１０と、前記容器本体と螺合するキャップ３とを含む、唇に化粧料を塗布するための化粧料容器１であって、前記キャップ３をしめると、前記バネ１７に対向して前記中間部材９が前記容器本体２方向に押し込まれ、前記誘導路７の一端を前記カップ部材６によって塞ぎ、前記容器本体２を密閉する、化粧料容器１は、スティック状に成形できない化粧料であっても、唇をローラーボール１０、１０、１０でマッサージしながら、指を汚さずに当該化粧料を塗布することができる。唇に対するマッサージは、リラックス効果がある上に、血行を促進し、化粧料がより浸透しやすくなるため、化粧料の唇に対する効果が非常に高くなる。
【００３４】
［２］前記カップ部材６の内側底部に底突起部１２を有し、前記キャップ３をしめると、前記底突起部１２が前記誘導路７の内側に入り込み、容器本体２の密閉度を高める態様では、キャップ３をしめることだけで、容器本体２の密閉をすることができる。
【００３５】
［３］前記カップ部材６は、前記誘導路７がぴったり入り込むことができる内径を有し、側面に流入穴５、５を有する化粧料流入部１４と、前記化粧料流入部１４の内径よりも大きい内径を有する前記バネ１７を保持するバネ保持部１３との二段で構成されており、これにより、前記中間部材９の誘導路７が軸方向に安定して摺動する態様では、部品の数が非常に少ないのにもかかわらず、本発明の目的を達成することができ、かつ、安定して中間部材９が摺動することができる。
【００３６】
［４］前記容器がチューブ状であれば、スティックタイプに形成できない液体又は乳液状の化粧料をマッサージしながら、指を汚さずに唇に塗布することができる。また、多少粘性のある液体を塗布することができる。
【００３７】
［５］  前記化粧料の構成成分として、ヒマワリ種子油、ダマスクローズ花油、ローマカミツレ花油からなる群から選択される少なくとも一種を含む場合でもあっても、本発明の化粧料容器１は、高い密閉性を有するので、揮発成分を揮発させることなく、保持することができる。
【００３８】
以上、図面を参照して説明するが、本発明にはこれに限定されるものではない。
【符号の説明】
【００３９】
１    化粧料容器
２    容器本体
３    キャップ
４    開口部
５    流入穴
６    カップ部材
７    誘導路
８    配置部
９    中間部材
１０  ローラーボール
１１  先端部
１２  底突起部
１３  バネ保持部
１４  化粧料流入部
１５  押圧突起部
１６  中間部材保持突起部
１７  バネ
１８  ローラーボール穴
１９  ローラーボール保持室
【要約】
【課題】使用時にはマッサージをしながら、唇用化粧料を塗布することができ、使用していない場合は、密閉性が高く酸化を防止することができる、唇用化粧料塗布用容器を提供することを目的とする。
【解決手段】  筒状の胴部を有し、一方の端に開口部を有する容器本体と、前記開口部に嵌合しており、側面に前記容器本体の内部の化粧料が通過する流入穴を有する、凹状のカップ部材と、前記カップ部材に挿入することができる化粧料を誘導する誘導路を含む中間部材と、前記中間部材を前記カップ部材から離れる方向に付勢するバネと、前記中間部材の中に配置され、前記中間部材の先端から突き出ている一つ又は複数のローラーボールと、前記容器本体と螺合するキャップとを含む、唇に化粧料を塗布するための化粧料容器であって、前記キャップをしめると前記バネに対向して前記中間部材が前記容器本体方向に押し込まれ、前記誘導路の一端を前記カップ部材によって塞ぎ、前記容器本体を密閉する、化粧料容器。
【選択図】図１【図１】
0005700737.tif 000002
【図２】
0005700737.tif 000003